【事件の表示】
　特願２０１２−２６６３８２「眼鏡レンズ設計方法および眼鏡レンズ製造方法」拒絶査定不服審判事件〔平成２６年６月１９日出願公開，特開２０１４−１１２１５４，請求項の数（６）〕について，次のとおり審決する。
【結　論】
　原査定を取り消す。
　本願の発明は，特許すべきものとする。
【理　由】
第１　事案の概要
　１　手続の経緯
　特願２０１２−２６６３８２号（以下「本件出願」という。）は，平成２４年１２月５日の特許出願であって，その手続の経緯の概要は，以下のとおりである。
平成２８年　６月２１日付け：拒絶理由の通知
平成２８年　８月２６日　　：意見書の提出
平成２８年　８月２６日　　：手続補正書の提出
（この手続補正書による補正を，以下「本件補正」という。）
平成２９年　１月　５日付け：拒絶の査定（以下「原査定」という。）
平成２９年　３月２７日　　：拒絶査定不服審判の請求
　
　２　本願発明
　本件出願の請求項１−請求項６に係る発明（以下「本願発明１」−「本願発明６」という。）は，本件補正によって補正された特許請求の範囲の請求項１−請求項６に記載された事項により特定されるとおりの，以下のものである。
「【請求項１】
　遠方視状態である眼鏡装用者を撮像手段により撮像する遠方視画像撮像工程と，
　近方視状態である前記眼鏡装用者を撮像手段により撮像する近方視画像撮像工程と，
　前記遠方視画像撮像工程により撮像された遠方視画像に基づいて，遠方視状態における眼の位置に関連する遠方視パラメータを計測する遠方視パラメータ計測工程と，
　前記近方視画像撮像工程により撮像された近方視画像に基づいて，近方視状態における前記眼鏡装用者から前記眼鏡装用者の注視点までの距離である近方作業距離を計測する近方作業距離計測工程と，
　前記遠方視パラメータ計測工程により計測した遠方視パラメータと，前記近方作業距離計測工程により計測した近方作業距離と，前記眼鏡装用者の眼鏡処方値とを用いた光線追跡計算によって，眼鏡レンズを設計する設計工程と，
を有し，
　前記設計工程では，
　前記遠方視パラメータに基づいて，前記光線追跡計算によって，近方視状態での瞳孔間距離と，近方視状態における前記眼鏡レンズに対する瞳孔の高さである近方視フィッティング高さとが算出され，
　前記光線追跡計算で算出されたパラメータに基づいて，前記眼鏡レンズにおける近用のアイポイントが設定される眼鏡レンズ設計方法。
　
【請求項２】
　請求項１に記載の眼鏡レンズ設計方法において，
　前記設計工程では，前記光線追跡計算によって，前記眼鏡装用者の左右の視線がそれぞれ左右の眼鏡レンズを透過する透過位置を算出し，前記左右の眼鏡レンズにおいて，前記透過位置でのレンズ特性に類似性を持たせるように設計する眼鏡レンズ設計方法。
　
【請求項３】
　請求項１または２に記載の眼鏡レンズ設計方法において，
　前記遠方視パラメータは，遠方視状態での瞳孔間距離，片眼瞳孔間距離，および瞳孔の高さの少なくとも１つである眼鏡レンズ設計方法。
　
【請求項４】
　請求項１〜３のいずれか一項に記載の眼鏡レンズ設計方法において，
　前記眼鏡処方値は，球面度数，乱視度数，乱視軸度および加入度の少なくとも１つである眼鏡レンズ設計方法。
　
【請求項５】
　請求項１〜４のいずれか一項に記載の眼鏡レンズ設計方法において，
　前記眼鏡装用者は，前記遠方視画像撮像工程および前記近方視画像撮像工程において撮像される際，度数が入っていない眼鏡を装用した状態である眼鏡レンズ設計方法。
　
【請求項６】
　請求項１〜５のいずれか一項に記載の眼鏡レンズ設計方法により設計された眼鏡レンズを製造する眼鏡レンズ製造方法。」
　
　３　原査定の理由
　原査定の拒絶の理由は，概略，本願発明１−本願発明６は，その出願前に日本国内又は外国において，頒布された刊行物に記載された発明又は電気通信回線を通じて公衆に利用可能となった発明に基づいて，その出願前にその発明の属する技術の分野における通常の知識を有する者が容易に発明をすることができたものであるから，特許法２９条２項の規定により特許を受けることができない，というものである。
引用文献１：特開２００７−９３６３６号公報
引用文献２：特開２００１−１４５６１３号公報（周知技術を示す文献）
引用文献３：国際公開第２０１０／０９０１４４号
　
第２　当合議体の判断
　１　引用文献１の記載及び引用発明
　(1) 引用文献１の記載
　本件出願の出願前に頒布された刊行物である引用文献１には，以下の記載がある。
　ア　「【特許請求の範囲】
【請求項１】
　眼鏡装用者に適した眼鏡を作製するために必要な眼鏡装用パラメータを測定する眼鏡装用パラメータ測定装置において，
　眼鏡フレームを装用した眼鏡装用者を遠方視状態または近方視状態に設定し，この近方視状態では，眼球回旋角と近方視目的距離の少なくとも一方を任意に変更可能とする固視手段と，この固視手段により遠方視状態または近方視状態に設定された眼鏡装用者を撮影装置により撮影し，その画像を取り込む画像入力手段と，この画像入力手段によって得られた撮像画像に基づき上記眼鏡装用パラメータを計測し演算する計測演算手段とを有し，
　上記計測演算手段が計測し演算する眼鏡装用パラメータは，遠方視瞳孔間距離，近方視瞳孔間距離，遠方視眼鏡装用距離，近方視眼鏡装用距離，眼鏡フレーム装用角度，眼球回旋角，近方視目的距離の少なくとも１つであり，
　更に，上記計測演算手段により得られた眼鏡装用パラメータと，レンズの屈折率，眼鏡レンズ形状データ，眼鏡レンズ処方データ，レイアウトマークデータのうちのいずれかを含む眼鏡レンズのレンズ情報と，玉型形状データ，玉型中心間距離，フレームあおり角のうちのいずれかを含む眼鏡フレームのフレーム情報とを用いて，上記眼鏡レンズの眼鏡フレームに対するレイアウト情報を決定するレイアウト手段を有することを特徴とする眼鏡装用パラメータ測定装置。」
　
　イ　「【技術分野】
【０００１】
　本発明は，眼鏡フレームを装用した眼鏡装用者の画像を撮像し，その画像から眼鏡を作製するために必要とされる様々な眼鏡装用パラメータを測定し，眼鏡レンズの眼鏡フレームに対するレイアウト情報を決定等する眼鏡装用パラメータ測定装置，眼鏡レンズ及び眼鏡に関する。
【背景技術】
【０００２】
　眼鏡の作製では，眼鏡処方値と眼鏡フレームの選択と眼鏡装用者に関連した様々な眼鏡装用パラメータとに応じて光学設計を行い，その設計値に基づいて製造された眼鏡レンズを眼鏡フレームの形状に合わせて枠入れするように切削することが必要である。眼鏡装用者に関連した眼鏡装用パラメータとしては，遠方視瞳孔間距離，近方視瞳孔間距離，遠方視装用距離（頂点間距離），眼鏡フレーム装用角度等である。
…（省略）…
【発明が解決しようとする課題】
…（省略）…
【０００８】
　本発明の目的は，上述の事情を考慮してなされたものであり，眼鏡の作製に必要な眼鏡装用パラメータを高精度に測定し，この眼鏡装用パラメータの計測値，眼鏡レンズのレンズ情報及び眼鏡フレームのフレーム情報を用いて，眼鏡レンズの眼鏡フレームに対するレイアウト情報を得ることで，眼鏡装用者個々人に最適な専用の眼鏡レンズまたは眼鏡を製作できる眼鏡装用パラメータ測定装置を提供することにある。」
　
　ウ　「【発明を実施するための最良の形態】
【００２７】
　以下，本発明を実施するための最良の形態を，図面に基づき説明する。
　図１は，本発明に係る眼鏡装用パラメータ測定装置の一実施の形態と他の機器との接続関係を示す図であって，眼鏡店または眼科医院等における通信回線図である。図２は，図１における眼鏡装用パラメータ測定装置を，一部を破断して示す側面図である。図３は，図２のIII矢視図である。」
（当合議体注：図１−図３は以下の図である。）
【図１】
　
【図２】
　
【図３】
　
　エ　「【００２８】
　図１に示す
眼鏡装用パラメータ測定装置３０
測定装置本体３１と装置制御用端末３２とを有して構成され
…（省略）…
【００３２】
　さて，前記
測定装置本体３１は，
湾曲形状の一対の軌道フレーム３６を備えたフレームユニット３３と，軌道フレーム３６上を移動する可動ユニット３４と，眼鏡装用者である被検者１０の顔を位置決めする位置決めユニット３５とを有して構成され
【００３３】
　フレームユニット３３は，基台３７に支柱フレーム３８が立設され，上記軌道フレーム３６が基台３７に立設されると共に支柱フレーム３８に立て掛けられて支持される。各軌道フレーム３６の軌道面にラックレール３９が敷設されている。
　上記基台３７には，図３にも示すように，位置決めユニット３５の位置決めメインフレーム４０及び位置決めサブフレーム４１が立設される。位置決めメインフレーム４０の上部に，被検者１０の顎を載せる顎受け台４２と，被検者１０の額を当てる額当て部４３が設けられる。額当て部４３は，額当て支柱４４を介して顎受け台４２に支持され，この額当て支柱４４に，被検者１０の眼の高さを一致させるための基準マーク４５が設けられている。
【００３４】
　ところで，前記可動ユニット３４のユニットフレーム４６には，図４及び図５に示すように，同期回転可能な一対の駆動ギア４７が回転自在に配設され，この駆動ギア４７の図における上方に，同じく一対の駆動ギア４８が回転自在に配設される。これらの駆動ギア４７及び４８が軌道フレーム３６のラックレール３９に噛み合っている。また，ユニットフレーム４６には，駆動ギア４７と４８の反対側にガイドローラ４９が回転自在に軸支され，これらのガイドローラ４９が軌道フレーム３６の背面レール部５０に嵌合されている。」
（当合議体注：図４及び図５は以下の図である。）
【図４】
　
【図５】
　
　オ　「【００３５】
　ユニットフレーム４６には更に回旋用モータ５１が設置され，この回旋用モータ５１のモータシャフトにウォーム５２が回転一体に取り付けられる。このウォーム５２は，一対の駆動ギア４７を連結するシャフトに設けられたウォームホイール５３に噛み合い，回旋用モータ５１の駆動力がウォーム５２及びウォームホイール５３を介して駆動ギア４７へ伝達され，更にタイミングベルト５４を介して駆動ギヤ４８へ伝達される。駆動ギヤ４７及び４８が軌道フレーム３６のラックレール３９に噛み合って回旋用モータ５１により回転駆動され，このときガイドローラ４９が軌道フレーム３６の背面レール部５０を転動することで，可動ユニット３４は軌道フレーム３６の湾曲形状に沿って回旋移動する。図２に示すように，この可動ユニット３４の回旋移動の中心が，位置決めユニット３５により位置決めされた被検者１０の眼球の回旋点１２となるように設計されている。
【００３６】
　図４及び図５に示すように，可動ユニット３４のユニットフレーム４６には駆動ねじ５５が，その軸回りに回転自在に立設される。この駆動ねじ５５に，発光ダイオード（ＬＥＤ）などの光源５６を支持する光源支持部５７が螺合される。上記ユニットフレーム４６には光源用モータ５８が設置され，この光源用モータ５８の駆動力は，タイミングベルト５９を経て駆動ねじ５５へ伝達され，当該駆動ねじ５５を回転させる。これにより，光源支持部５７を介して光源５６が，後述のレンズ６０に対し接近または離反する方向に移動可能に設けられる。
【００３７】
　上記レンズ６０は可動ユニット３４のユニットフレーム４６に設置され，このレンズ６０の光軸上に上記光源５６が配置される。これらの
レンズ６０及び光源５６を有する可動ユニット３４が，眼鏡フレームを装用した眼鏡装用者を遠方視状態または近方視状態のそれぞれの測定位置に設置する固視手段を構成
【００３８】
　つまり，図６に示すように，
光源５６とレンズ６０との間隔を任意の距離とすることにより，眼鏡装用者である被検者１０に遠方視状態と近方視状態の光源５６の像を固視灯（遠方視目的物，近方視目的物）として観察させ
【００３９】
　特に，図６(Ｂ)に示す近方視状態測定位置では，可動ユニット３４が軌道フレーム３６の湾曲形状に沿って任意の位置まで回旋移動することで眼球回旋角θが任意に変更可能とされ，更に，光源５６とレンズ６０との距離が調整されることで近方視目的距離ＮＬが任意に変更可能とされる。尚，これらの眼球回旋角θと近方視目的距離ＮＬはいずれか一方が変更可能に構成されてもよい。また，光源５６は，本実施形態では，レンズ６０に対し接離されて遠方視用と近方視用とで兼用されているが，遠方視用の光源と近方視用の光源とを別々に設けてもよい。」
（当合議体注：図６は以下の図である。）
　
　カ　「【００４０】
　図４及び図５に示すように，可動ユニット３４のユニットフレーム４６には，レンズ６０の図における下方に，ビームスプリッタとして機能するハーフミラー６１が配置される。このハーフミラー６１は，光源５６から発した光を反射して位置決めユニット３５側へ向かわせるべく４５°に傾斜して配置される。そして，ユニットフレーム４６においてハーフミラー６１の後方に，撮影装置としての正面用撮像カメラ６２が設置される。この正面用撮像カメラ６２は，撮像レンズを有する例えばＣＣＤカメラなどである。
【００４１】
　前記可動ユニット３４は，図２に示すように，被検者１０の眼球(被検眼１１)の回旋点１２を中心に軌道フレーム３６の湾曲形状に沿って回旋移動するとき，この可動ユニット３４に設置された正面用撮像カメラ６２を同様に回旋移動させる。このとき，正面用撮像カメラ６２の光軸は，図６に示すように，被検者１０の遠方視軸１７または近方視軸１８に常時一致した状態に保持される。従って，この
正面用撮像カメラ６２は，可動ユニット３４により遠方視状態または近方視状態のそれぞれの測定位置に設置された被検者１０の顔の正面を，ハーフミラー６１を通して撮影してその画像を取り込
【００４２】
　図２及び図３に示すように，位置決めユニット３５の位置決めサブフレーム４１に側面用撮像カメラ６３，ミラー６４及び６５が設置される。側面用撮像カメラ６３は，顎受け台４２の図３における左下方に設置され，撮像レンズを有する例えばＣＣＤカメラである。ミラー６４はこの側面用撮像カメラ６３の近傍に，ミラー６５は額当て部４３の近傍に，それぞれ４５°に傾斜して設置される。
可動ユニット３４により遠方視状態または近方視状態のそれぞれの測定位置に設定された被検者１０の顔の側面は，
側面用撮像カメラ６３により撮影され
…（省略）…
【００４９】
　この装置制御用端末３２が実行する眼鏡装用パラメータ測定の手順を，図２０に示すフローチャートを参照してまず概略して説明し，後に詳細に説明する。」
（当合議体注：図２０は以下の図である。）
　
　キ　「【００５０】
　まず，
眼鏡装用パラメータ測定装置３０に電源を投入して装置制御用端末３２を起動させ（Ｓ１），
外部から顧客個人データ，レンズ処方データ，眼鏡フレームデータを入力し，近方視目的距離ＮＬと眼球回旋角θを任意に入力
（Ｓ３）
【００５１】
　その後，眼鏡装用者である被検者１０の眼を位置決めユニット３５の基準マーク４５（図３）に一致させて，
被検者１０の眼の上下方向の位置合わせを実行
（Ｓ４）
この状態で，約５メートル前方に固視灯を点灯させ，被検者１０の遠方視状態における顔の正面及び側面の画像を撮影
（Ｓ５）
【００５２】
　次に，
固視灯を点灯した状態で，近方視目的距離ＮＬと眼球回旋角θを任意に変更させ，被検者１０に適した近方視状態を確認させながら，これらの近方視目的距離ＮＬ及び眼球回旋角θを決定
（Ｓ６）
この状態で，被検者１０の近方視状態における顔の正面及び側面の画像を撮影
（Ｓ７）
【００５３】
　
撮像された遠方視及び近方視の画像と，外部より入力されたデータに基づき，眼鏡装用パラメータ（遠方視瞳孔間距離ＦＰＤ，近方視瞳孔間距離ＮＰＤ，遠方視眼鏡装用距離Ａ，近方視眼鏡装用距離Ｂ，眼鏡フレーム装用角度α）を計測し演算
（Ｓ８）
測定された眼鏡装用パラメータ
撮像画像
顧客データベース７１に保存する（Ｓ９）
【００５４】
　この眼鏡装用パラメータ測定装置３０による上述の動作Ｓ１〜Ｓ９の後，眼鏡店端末７０は，顧客データベース７１に保存された眼鏡作製のために必要な眼鏡装用者個々人のデータ(顧客個人データＸ，眼鏡レンズ処方データＹ，眼鏡フレームデータＺ，眼鏡装用パラメータＶ等)を眼鏡製造業者の工場サーバー(不図示)へ送信して，眼鏡レンズまたは眼鏡を発注する（Ｓ１０）。上述の各動作を更に詳説する。
…（省略）…
【００６４】
［近方視状態の撮影(Ｓ６，Ｓ７)］
　遠方視状態の正面及び側面の顔画像撮像後，装置制御用端末３２の撮影メニュー画面(図１１)で近方視ボタン６９を選択すると，可動ユニット３４が図６（Ａ）の遠方視状態測定位置から図６（Ｂ）の近方視状態測定位置まで，被検眼１１の回旋点１２を中心に軌道フレーム３６に沿って回旋移動すると共に，可動ユニット３４の光源５６がレンズ６０の光軸上を移動して，本実施形態では被検者１０の前方３０〜５０ｃｍの間に空中像（実像）を形成させ，この像を固視灯として被検者１０に観察させる。
【００６５】
　仮に，被検者１０の近方視での眼球回旋角θ，近方視目的距離ＮＬが分かっている場合で，データ入力画面(図１０)を用いてそれらの数値が既に入力されている場合には，上記眼球回旋角θ，近方視目的距離ＮＬに固視灯の空中像が形成されるように，固視灯である光源５６を可動ユニット３４により回旋移動させ，且つレンズ６０の光軸上で移動させる自動制御を設けている。被検者１０がこの固視灯を観察していることを図１４に示す撮影画面（近方視）で確認すると共に被検者１０の眼が図１４中にある上下の基準線内に入っていることを確認した後，装置制御用端末３２のモニターに表示されている撮影ボタン７７を操作して，正面用撮像カメラ６２にて被検者１０の近方視状態の正面顔画像を撮像する。
…（省略）…
【００６６】
　被検者１０の近方視状態での眼球回旋角θ及び近方視目的距離ＮＬが分かっていない場合には，図１４の撮影画面（近方視）の「近方視距離」「近方視角度」の欄に任意の数値を入力し，セットボタン７８を操作して，上記入力数値に適合する位置まで光源５６を可動ユニット３４により回旋移動させ，且つレンズ６０の光軸上で移動させる。この状態から，眼球回旋角θ及び近方視目的距離ＮＬを変更して被検者に適した近方視状態を確認させ，この近方視状態における眼球回旋角θ及び近方視目的距離ＮＬを，求めるべき眼球回旋角θ及び近方視目的距離ＮＬとして検出する。その後，上述の手順と同様にして撮影ボタン７７を操作し，近方視状態の正面顔画像，側面顔画像を撮像カメラ６２，６３によりそれぞれ撮影する。
【００６７】
　例えば，一つの手法として近方視目的距離ＮＬを固定し，光源５６を可動ユニット３４により回旋移動させて眼球回旋角θ(近方視角度)を変更し，眼鏡装用者に最適な眼鏡回旋角θを求める。その後，その眼鏡回旋角θを保持し，光源５６をレンズ６０の光軸上で移動させて近方視目的距離ＮＬを変更し，最適な近方視目的距離ＮＬを求める。この逆でも可能である。」
（当合議体注：図１０及び図１４は以下の図である。）
【図１０】
　
【図１４】
　
　ク　「【００６８】
［装用パラメータの計測・演算(Ｓ８)］
　このようにして取得した画像を用いて，眼鏡を作製するために必要とされる様々な眼鏡装用パラメータを計測し演算するには，装置制御用端末３２のモニター上の操作メニュー画面(図１２)で瞳孔間距離測定ボタン８０Ａ，装用角度・装用距離測定ボタン８１を任意に選択し，それぞれの測定用プログラム(図９)を起動させる。
【００６９】
　瞳孔間距離測定ボタン８０Ａを選択すると，瞳孔間距離測定プログラムが起動すると同時に，図１５及び図１６（Ａ）に示すように，遠方視状態の被検者１０の正面顔を撮像した正面画像が装置制御用端末３２のモニター上に表示される。この画像は，倍率補正（キャリブレーション）が実施されて上記モニター上に表示されている。そして，この遠方視状態の被検者１０の正面画像上において，例えば以下のような検出方法で左眼８２と右眼８３の瞳孔中心位置を求め，この瞳孔中心の離間距離を遠方視瞳孔間距離ＦＰＤとする。」
（当合議体注：図１５及び図１６（Ａ）は以下の図である。）
【図１５】
　
【図１６（Ａ）】
　
　ケ　「【００９３】
　次に，図２０のステップ８において各種の眼鏡装用パラメータを計測し演算した後に，
眼鏡レイアウトシミュレーション及びレンズ加工情報算出（
Ｓ１１）を実行
…（省略）…
【００９５】
　この図２９の画面には，フレーム形状１０５が表示されると共に，このフレーム形状１０５の玉型形状の横寸法ＡＡ，縦寸法ＢＢ及び玉型中心間距離ＢＣＬのそれぞれの値が表示され，更に，フレーム形状１０５のアンダーリム１２３と瞳孔中心９７（または瞳孔中心９６）との距離であるＥＰＨの値が表示されている。また，この図２９の画面には，眼鏡装用パラメータＶとして遠方視瞳孔間距離ＦＰＤ，左眼ＦＰＤ及び右眼ＦＰＤのそれぞれの値が表示され，更に，近用視線が眼鏡レンズ１３を通過する位置を表す近用アイポイント１１１が表示されている。この
近用アイポイント１１１は，インセット量ｉ（左眼，右眼），眼球回旋角θ，遠方視眼鏡装用距離ｂから算出され
【００９６】
　この図２９の画面において，「レンズメーカー名」及び「レンズ商品名」の欄にレンズの種類を入力して眼鏡レンズ１３を選択し，ＯＫボタン１１２を操作すると，図３０，図３１に示すように，選択した所望の眼鏡レンズ１３のレンズ画像１１３，１２０が図２９の画像上に重ね合せて描画される。これらのレンズ画像１１３，１２０及び後述のレイアウトマークは，フレーム形状１０５の場合と同様に，フレームあおり角βや眼鏡フレーム装用角度αに応じて縦横比が変更して表示される。」
（当合議体注：図２９及び図３０は以下の図である。）
【図２９】
　
【図３０】
　
　コ　「【００９８】
　図３０の画像上で必要に応じて位置調整ボタン１１４を操作し，通常，左右のレンズ画像１１３を連動して，例えば０．５ｍｍ（または０．１ｍｍ）ピッチで上下方向に移動させる。また，レンズ画像１１３の左右方向の移動は，同じく位置調整ボタン１１４を操作することで，通常，左右のレンズ画像１１３を連動して内寄せ方向または外寄せ方向に，例えば０．５ｍｍ（または０．１ｍｍ）ピッチで調整する。
…（省略）…
【０１０２】
　このようにして，眼鏡レンズ１３と眼鏡フレーム１４との組合せの適否，つまり眼鏡レンズ１３の眼鏡フレーム１４に対するレイアウトの適否を確認して，眼鏡レンズ１３を決定する。この眼鏡レンズ１３の眼鏡フレーム１４に対するレイアウトの適否とこの適否に基づく眼鏡レンズ１３の決定，この決定された眼鏡レンズ１３の遠用アイポイント９０の位置，並びに距離を変更することで近用アイポイント１１１の位置が変更される遠方視眼鏡装用距離Ａ，近方視眼鏡装用距離Ｂなどが，レイアウト手段としての装置制御用端末３２によりレイアウト情報として決定される。
…（省略）…
【０１０９】
　上述の
眼鏡レイアウトシミュレーションによって得られたレイアウト情報
レイアウト情報から算出されたレンズ加工情報
【０１１０】
以上のように構成されたことから，上記実施の形態によれば次の効果（１）〜（９）を奏する。
　（１）光源５６及びレンズ６０を備えた可動ユニット３４(図２)が，眼鏡装用者である被検者１０を遠方視状態または近方視状態に設定し，この近方視状態では，眼球回旋角θと近方視目的距離ＮＬの少なくとも一方を任意に変更可能とし，この遠方視状態または近方視状態に設定された被検者１０を正面用撮像カメラ６２及び側面用撮像カメラ６３により撮影し，この得られた撮像画像に基づき装置制御用端末３２が眼鏡装用パラメータを計測し演算する。更に，この装置制御用端末３２は，撮像画像上において移動可能に表示されて，被検者１０の瞳孔中心位置を検出するための瞳孔カーソル９２及び９３，並びに被検者１０の角膜頂点位置を検出するための角膜カーソル９７を有する。これらのことから，遠方視と近方視の眼鏡装用パラメータを高精度に測定できる。この結果，眼鏡装用パラメータ測定装置３０により高精度に測定された眼鏡装用パラメータの少なくとも一つを用いて，眼鏡装用者個々人に最適な専用の眼鏡レンズを光学設計でき，この眼鏡レンズを組み込んで，当該眼鏡装用者個々人に最適な専用の眼鏡を製造できる。
…（省略）…
【０１１２】
（３）レイアウト手段として機能する装置制御用端末３２が，眼鏡装用パラメータＶの計測値と眼鏡レンズデータＷと眼鏡フレームデータＺとを用いて，眼鏡レンズ１３の眼鏡フレーム１４に対するレイアウトが可能であるかのレイアウト情報を決定することから，
眼鏡装用者個々人に最適な専用の眼鏡レンズを設計
　
　(2) 引用発明
　引用文献１には，眼鏡装用パラメータ測定装置３０等（図２）により図２０に示すフローチャートの手順により眼鏡装用パラメータを測定し，図３０に示されるような眼鏡レイアウトシミュレーション等を行うことにより，眼鏡装用者個々人に最適な専用の眼鏡レンズを設計する方法（【０１１２】）として，次の発明が記載されている（以下「引用発明」という。）。
「　眼鏡装用パラメータ測定装置３０に電源を投入して装置制御用端末３２を起動させ（Ｓ１），
　外部から顧客個人データ，レンズ処方データ，眼鏡フレームデータを入力し，近方視目的距離ＮＬと眼球回旋角θを任意に入力し（Ｓ３），
　被検者１０の眼の上下方向の位置合わせを実行し（Ｓ４），この状態で，約５メートル前方に固視灯を点灯させ，被検者１０の遠方視状態における顔の正面及び側面の画像を撮影し（Ｓ５），
　固視灯を点灯した状態で，近方視目的距離ＮＬと眼球回旋角θを任意に変更させ，被検者１０に適した近方視状態を確認させながら，これらの近方視目的距離ＮＬ及び眼球回旋角θを決定し（Ｓ６），この状態で，被検者１０の近方視状態における顔の正面及び側面の画像を撮影し（Ｓ７），
　撮像された遠方視及び近方視の画像と，外部より入力されたデータに基づき，眼鏡装用パラメータ（遠方視瞳孔間距離ＦＰＤ，近方視瞳孔間距離ＮＰＤ，遠方視眼鏡装用距離Ａ，近方視眼鏡装用距離Ｂ，眼鏡フレーム装用角度α）を計測し演算し（Ｓ８），
　眼鏡レイアウトシミュレーション及びレンズ加工情報算出を実行し（Ｓ１１），近用アイポイント１１１は，インセット量ｉ（左眼，右眼），眼球回旋角θ，遠方視眼鏡装用距離ｂから算出され，
　測定された眼鏡装用パラメータ，撮像画像，眼鏡レイアウトシミュレーションによって得られたレイアウト情報及びレイアウト情報から算出されたレンズ加工情報を顧客データベース７１に保存する（Ｓ９），
　眼鏡装用者個々人に最適な専用の眼鏡レンズを設計する方法であって，
　眼鏡装用パラメータ測定装置３０は，測定装置本体３１と装置制御用端末３２とを有して構成され，
　測定装置本体３１は，湾曲形状の一対の軌道フレーム３６を備えたフレームユニット３３と，軌道フレーム３６上を移動する可動ユニット３４と，眼鏡装用者である被検者１０の顔を位置決めする位置決めユニット３５とを有して構成され，
　レンズ６０及び光源５６を有する可動ユニット３４が，眼鏡フレームを装用した眼鏡装用者を遠方視状態または近方視状態のそれぞれの測定位置に設置する固視手段を構成し，光源５６とレンズ６０との間隔を任意の距離とすることにより，眼鏡装用者である被検者１０に遠方視状態と近方視状態の光源５６の像を固視灯（遠方視目的物，近方視目的物）として観察させ，
　正面用撮像カメラ６２は，可動ユニット３４により遠方視状態または近方視状態のそれぞれの測定位置に設置された被検者１０の顔の正面を，ハーフミラー６１を通して撮影してその画像を取り込み，
　可動ユニット３４により遠方視状態または近方視状態のそれぞれの測定位置に設定された被検者１０の顔の側面は，側面用撮像カメラ６３により撮影される，
　眼鏡レンズを設計する方法。」
　
　２　対比及び判断
　(1) 対比
　本願発明１と引用発明を対比する。
　ア　遠方視画像撮像工程
　引用発明は，「被検者１０の眼の上下方向の位置合わせを実行し（Ｓ４），この状態で，約５メートル前方に固視灯を点灯させ，被検者１０の遠方視状態における顔の正面及び側面の画像を撮影し（Ｓ５）」という工程（以下「Ｓ４Ｓ５工程」という。）を具備する。また，引用発明の「可動ユニット３４」は，「光源５６とレンズ６０との間隔を任意の距離とすることにより，眼鏡装用者である被検者１０に遠方視状態と近方視状態の光源５６の像を固視灯（遠方視目的物，近方視目的物）として観察させ」るものである。そして，引用発明の「可動ユニット３４」の「正面用撮像カメラ６２は，可動ユニット３４により遠方視状態または近方視状態のそれぞれの測定位置に設置された被検者１０の顔の正面を，ハーフミラー６１を通して撮影してその画像を取り込み」という構成を具備する。
　そうしてみると，引用発明の「遠方視状態」，「被検者１０」，「正面用撮像カメラ６２」及び「Ｓ４Ｓ５工程」は，それぞれ本願発明１の「遠方視状態」，「眼鏡装用者」，「撮像手段」及び「遠方視画像撮像工程」に相当する。そして，引用発明は，「Ｓ４Ｓ５工程」を具備する点において，本願発明１の「遠方視状態である眼鏡装用者を撮像手段により撮像する遠方視画像撮像工程」に相当する工程を具備するといえる。
　
　イ　近方視画像撮像工程
　引用発明は，「固視灯を点灯した状態で，近方視目的距離ＮＬと眼球回旋角θを任意に変更させ，被検者１０に適した近方視状態を確認させながら，これらの近方視目的距離ＮＬ及び眼球回旋角θを決定し（Ｓ６），この状態で，被検者１０の近方視状態における顔の正面及び側面の画像を撮影し（Ｓ７）」という工程を具備する（以下「Ｓ６Ｓ７工程」という。）。
　したがって，前記アと同様の検討により，引用発明は，「Ｓ６Ｓ７工程」を具備する点において，本願発明１の「近方視状態である前記眼鏡装用者を撮像手段により撮像する近方視画像撮像工程」に相当する工程を具備するといえる。
　
　ウ　遠方視パラメータ計測工程
　引用発明は，「撮像された遠方視及び近方視の画像と，外部より入力されたデータに基づき，眼鏡装用パラメータ（遠方視瞳孔間距離ＦＰＤ，近方視瞳孔間距離ＮＰＤ，遠方視眼鏡装用距離Ａ，近方視眼鏡装用距離Ｂ，眼鏡フレーム装用角度α）を計測し演算し（Ｓ８）」という工程を具備する（以下「Ｓ８工程」という。）。
　ここで，引用発明の「眼鏡装用パラメータ」のうち「遠方視瞳孔間距離ＦＰＤ」が，撮像された遠方視の画像に基づいて計測されるものであることは，技術常識である（引用文献１の【００６９】の記載からも確認できる事項である。）。
　そうしてみると，引用発明の「遠方視」「の画像」は，本願発明１の「前記遠方視画像撮像工程により撮像された遠方視画像」の要件を満たし，また，引用発明の「遠方視瞳孔間距離ＦＰＤ」は，本願発明１の「遠方視状態における眼の位置に関連する遠方視パラメータ」に該当する。また，引用発明の「Ｓ８工程」は，その工程中に「前記遠方視画像撮像工程により撮像された遠方視画像に基づいて，遠方視状態における眼の位置に関連する遠方視パラメータを計測する遠方視パラメータ計測工程」を含むものである。
　
　エ　眼鏡レンズ設計方法
　以上ア−ウの対比結果，並びに，引用発明及び本願発明１の全体の構成を勘案すると，引用発明の「眼鏡レンズを設計する方法」は，本願発明１の「眼鏡レンズ設計方法」に相当する。
　
　(2) 一致点及び相違点
　ア　一致点
　本願発明１と引用発明は，次の構成で一致する。
「　遠方視状態である眼鏡装用者を撮像手段により撮像する遠方視画像撮像工程と，
　近方視状態である前記眼鏡装用者を撮像手段により撮像する近方視画像撮像工程と，
　前記遠方視画像撮像工程により撮像された遠方視画像に基づいて，遠方視状態における眼の位置に関連する遠方視パラメータを計測する遠方視パラメータ計測工程と，
を有する，
　眼鏡レンズ設計方法。」
　
　イ　相違点
　本願発明１と引用発明は，以下の点で相違する。
（相違点１）
　本願発明１は，「前記近方視画像撮像工程により撮像された近方視画像に基づいて，近方視状態における前記眼鏡装用者から前記眼鏡装用者の注視点までの距離である近方作業距離を計測する近方作業距離計測工程」を具備するのに対して，引用発明は，「固視灯を点灯した状態で，近方視目的距離ＮＬ…を任意に変更させ，被検者１０に適した近方視状態を確認させながら…近方視目的距離ＮＬ…を決定し（Ｓ６）」ている点。
　
（相違点２）
　本願発明１は，「前記遠方視パラメータ計測工程により計測した遠方視パラメータと，前記近方作業距離計測工程により計測した近方作業距離と，前記眼鏡装用者の眼鏡処方値とを用いた光線追跡計算によって，眼鏡レンズを設計する設計工程」を具備し，「前記設計工程では，前記遠方視パラメータに基づいて，前記光線追跡計算によって，近方視状態での瞳孔間距離と，近方視状態における前記眼鏡レンズに対する瞳孔の高さである近方視フィッティング高さとが算出され，前記光線追跡計算で算出されたパラメータに基づいて，前記眼鏡レンズにおける近用のアイポイントが設定される」のに対して，引用発明は，「眼鏡レイアウトシミュレーション及びレンズ加工情報算出を実行し（Ｓ１１），近用アイポイント１１１は，インセット量ｉ（左眼，右眼），眼球回旋角θ，遠方視眼鏡装用距離ｂから算出され」る点。
　
　(3) 判断
　事案に鑑みて，相違点１について検討する。
　引用発明において，本願発明の「近方作業距離」及び「近方視画像」に対応するものは，「近方視目的距離ＮＬ」及び「近方視状態における顔の正面の画像」と考えられる。
　ここで，引用発明は，「固視灯を点灯した状態で，近方視目的距離ＮＬと眼球回旋角θを任意に変更させ，被検者１０に適した近方視状態を確認させながら，これらの近方視目的距離ＮＬ及び眼球回旋角θを決定し（Ｓ６），この状態で，被検者１０の近方視状態における顔の正面及び側面の画像を撮影し（Ｓ７）」ている。すなわち，引用発明においては，近方視目的距離ＮＬを決めてから（【００６６】に記載のように入力してから），近方視状態における顔の正面の画像を撮影している。
　そうしてみると，引用発明においては，「前記近方視画像撮像工程により撮像された近方視画像に基づいて，近方視状態における前記眼鏡装用者から前記眼鏡装用者の注視点までの距離である近方作業距離を計測する」必要性がない。
　したがって，たとえ当業者といえども，引用発明において，相違点１に係る本願発明１の構成を採用することが容易に思到し得る事項であるということはできない。
　
　ところで，引用文献１の【請求項１】には，「固視手段により遠方視状態または近方視状態に設定された眼鏡装用者を撮影装置により撮影し，その画像を取り込む画像入力手段と，この画像入力手段によって得られた撮像画像に基づき上記眼鏡装用パラメータを計測し演算する計測演算手段とを有し」，「上記計測演算手段が計測し演算する眼鏡装用パラメータは，遠方視瞳孔間距離，近方視瞳孔間距離，遠方視眼鏡装用距離，近方視眼鏡装用距離，眼鏡フレーム装用角度，眼球回旋角，近方視目的距離の少なくとも１つであり」と記載されている。
　したがって，引用文献１の【請求項１】には，計測演算手段が撮像画像に基づいて近方視目的距離を計測し演算することが，一応，記載されているといえる。
　しかしながら，引用発明は，計測演算手段が撮像画像に基づいて近方視目的距離を計測し演算する必要のない発明である。また，引用文献１には，このような引用発明を，計測演算手段が撮像画像に基づいて近方視目的距離を計測し演算する必要のある発明に替える動機付けとなるような記載はない。
　加えて，引用発明は，「光源５６とレンズ６０との間隔を任意の距離とすることにより，眼鏡装用者である被検者１０に遠方視状態と近方視状態の光源５６の像を固視灯（遠方視目的物，近方視目的物）として観察させ」，「正面用撮像カメラ６２は，可動ユニット３４により遠方視状態または近方視状態のそれぞれの測定位置に設置された被検者１０の顔の正面を，ハーフミラー６１を通して撮影してその画像を取り込み」という構成を具備する。すなわち，引用発明においては固視灯と正面用撮像カメラ６２は同位置にない。したがって，近方視状態における顔の正面の画像に基づいて，被検者１０から正面用撮像カメラ６２までの距離を計測又は演算したとしても，これを近方視目的距離ＮＬとすることはできない。引用発明において，近方視状態における顔の正面の画像に基づいて近方視状態における被検者１０から固視灯（の実像）までの距離である近方視目的距離ＮＬを計測する（相違点１に係る本願発明１の構成を採用する）ためには，引用発明が前提とする眼鏡装用パラメータ測定装置３０における固視灯や正面用撮像カメラ６２の構成はもとより，引用発明が前提とする計測手順等も変更する必要があるといえる。しかしながら，引用文献１には，これらをどのように変更すべきか，その指針となる記載はない。したがって，引用発明において，相違点１に係る本願発明１の構成を採用することには，困難がともなうと考えられる。
　
　(4) 小括
　以上のとおり，引用発明は，相違点１に係る本願発明１の構成を採用する必要のない発明であり，また，引用文献１には，相違点１に係る本願発明１の構成を採用する必要のない引用発明において，あえて相違点１に係る本願発明１の構成を採用する動機付けとなるような記載も見当たらない。
　したがって，本願発明１は，引用発明（周知技術及び引用文献３に記載された技術）に基づいて，当業者が容易に発明できたものであるということができない。
　
　３　本願発明２−本願発明６について
　本願発明２−本願発明６も，前記相違点１に係る本願発明１の構成を具備するものであるから，本願発明１と同じ理由により，当業者であっても引用発明（周知技術及び引用文献３に記載された技術）に基づいて，当業者が容易に発明できたものであるということができない。
　
第３　むすび
　以上のとおり，原査定の理由によっては，本件出願を拒絶することはできない。
　また，他に本件出願を拒絶すべき理由を発見しない。
　よって，結論のとおり審決する。